(57)【要約】【課題】本体が天井に設置されている場合、使用者が点検時期の表示を容易に認識しやすくすることができるとともにフロントパネル７の全体の意匠を損なわない表示方法にすることができることを目的とする。【解決手段】受信ユニット２はフロントパネル７とは分離され、本体と一体にし、受信ユニット２の一部に点検時期のお知らせ表示を行う点検表示用の表示部１１を設けたことという構成にしたことにより、使用者が認知を向上させることとなるので、本体が天井に設置されている場合、使用者が点検時期の表示を容易に認識しやすくすることができるとともにフロントパネル７の全体の意匠を損なわない表示方法にすることができる浴室空気調和機を得られる。【選択図】図２
2012225600.tif 000002
【特許請求の範囲】
【請求項１】
使用者の操作によって赤外線通信を利用した運転信号を送信するワイヤレスリモコンと、その信号を受信する受信部と送風装置と加熱装置とそれらを制御する制御手段を設けた本体と、前記受信部はフロントパネルとは分離され、前記本体と一体にし、前記受信部の一部に点検時期のお知らせ表示を行う表示部を設けたことを特徴とした浴室空気調和機。
【請求項２】
表示部を点検時期専用の表示のみを行うことを特徴とした請求項１に記載の浴室空気調和機。
【請求項３】
表示部をワイヤレスリモコンからの赤外線信号透過用の黒色受光フィルタの近傍かつ前記受光フィルタを含む黒色に着色した領域内に設け、点検時期のお知らせを行う場合に表示部を光らせることを特徴とした請求項１または２に記載の浴室空気調和機。
【請求項４】
浴槽の上部天井に取り付けられた浴室空気調和機の表示部は浴室の洗い場方向へ向けられていることを特徴とした請求項１〜３のいずれかに記載の浴室空気調和機。
【発明の詳細な説明】
【技術分野】
【０００１】
本発明は、浴室空気調和機の点検時期を知らせる表示に関するものである。
【背景技術】
【０００２】
従来、この種の浴室空気調和機は、浴室天井面に取り付けられるフロントパネルに表示部が設けられているものや、脱衣室の壁に取り付けられているコントローラーに表示されたものが知られている（例えば、特許文献１参照）。
【０００３】
以下、その浴室空気調和機について、図５および図６を参照しながら説明する。
【０００４】
図５に示すように、浴室の天井面に取り付けられるフロントパネル１０１に点検時期をしらせるための表示部１０２を備えることにより、表示部１０２に何らかの表示をおこない点検時期を使用者に知らしめている。
【０００５】
また、図６に示すように、脱衣室の壁面に取り付けられるコントローラー１０３の表示部１０４を備えることにより、表示部１０４に何らかの表示をおこない点検時期を使用者に知らしめている。コントローラー１０３は使用時にかならずボタン１０５を操作するために視認するために、その表示部１０４にいつもとは違う表示をすることにより使用者にいつもとは違う表示をあたえ、点検時期を知らしめる。
【先行技術文献】
【特許文献】
【０００６】
【特許文献１】特開２０１０−１２１７８８号公報
【発明の概要】
【発明が解決しようとする課題】
【０００７】
このような従来の浴室空気調和機においては、長期使用後の点検を促す方法として通電時間の積算によって点検時期を本体のフロントパネル部に表示することで使用者へ知らせることはよく知られているが、天井に設置されている場合、使用者が気付きにくく、また、逆に点検時期の表示を分かりやすく大きくするとフロントパネル部全体の意匠性が損なわれる、という課題を有していた。
【０００８】
そこで本発明は、上記従来の課題を解決するものであり、本体が天井に設置されている場合、使用者が点検時期の表示を容易に認識しやすくすることができるとともにフロントパネル部の全体の意匠を損なわない表示方法にすることができる浴室空気調和機を提供することを目的とする。
【課題を解決するための手段】
【０００９】
そして、この目的を達成するために、本発明は使用者の操作によって赤外線通信を利用した運転信号を送信するワイヤレスリモコンと、その信号を受信する受信部と送風装置と加熱装置とそれらを制御する制御手段を設けた本体と、前記受信部はフロントパネルとは分離され、前記本体と一体にし、前記受信部の一部に点検時期のお知らせ表示を行う表示部を設けたこととしたものであり、これにより所期の目的を達成するものである。
【発明の効果】
【００１０】
本発明によれば、使用者の操作によって赤外線通信を利用した運転信号を送信するワイヤレスリモコンと、その信号を受信する受信部と送風装置と加熱装置とそれらを制御する制御手段を設けた本体と、前記受信部はフロントパネルとは分離され、前記本体と一体にし、前記受信部の一部に点検時期のお知らせ表示を行う表示部を設けた、という構成にしたことにより、使用者の視線が集まる部分に点検表示をすることで、使用者が認知を向上させるので、使用者が点検時期の表示を容易に認識しやすく、かつフロントパネル部全体の意匠を損なわない表示方法を提供することができる、という効果を得ることができる。
【図面の簡単な説明】
【００１１】
【図１】本発明の実施の形態１の浴室空気調和機の構成を示す斜視図
【図２】同受信ユニット構成図
【図３】本発明の実施の形態２の浴室空気調和機の受信ユニット構成図
【図４】本発明の実施の形態３の浴室空気調和機の浴室断面構成図
【図５】従来の浴室空気調和機の点検時期表示部を示すフロントパネル図
【図６】同コントローラー表示部図
【発明を実施するための形態】
【００１２】
本発明の請求項１記載の浴室空気調和機は、使用者の操作によって赤外線通信を利用した運転信号を送信するワイヤレスリモコンと、その信号を受信する受信部と送風装置と加熱装置とそれらを制御する制御手段を設けた本体と、前記受信部はフロントパネルとは分離され、前記本体と一体にし、前記受信部の一部に点検時期のお知らせ表示を行う表示部を設けた、という構成を有する。これにより、使用者の視線が集まる部分に点検表示をすることで、使用者が認知を向上させるので、本体が天井に設置されている場合、使用者が点検時期の表示を容易に認識しやすくすることができるとともにフロントパネル部の全体の意匠を損なわない表示方法にすることができる、という効果を奏する。
【００１３】
また、表示部を点検時期専用の表示のみを行う、という構成にしてもよい。これにより、本体の運転状況表示と異なる表示をするとなるので、使用者の認知を向上させ、適切な点検時期を容易に分からせることができる、という効果を奏する。
【００１４】
また、表示部をワイヤレスリモコンからの赤外線信号透過用の黒色受光フィルタの近傍かつ前記受光フィルタを含む黒色に着色した領域内に設け、点検時期のお知らせを行う場合に表示部を光らせる、という構成にしてもよい。これにより、点検時期のお知らせを行わない場合は、表示部を受光フィルタの一部として目立たなくすることができることとなるので、使用者へ適切な点検時期表示を明確に判別させることができる、という効果を奏する。
【００１５】
また、浴槽の上部天井に取り付けられた浴室空気調和機の表示部は浴室の洗い場方向へ向けられている、という構成にしてもよい。これにより、使用者が浴槽側にいた場合だけではなく洗い場側にいた場合にも点検表示を認知させることができることとなるので、使用者が浴室へ入室した瞬間に点検表示を認知させることができる、という効果を奏する。
【００１６】
以下、本発明の実施の形態について図面を参照しながら説明する。
【００１７】
（実施の形態１）
図１および図２に示すように、ワイヤレスリモコン１からの赤外線通信信号を発信し、その信号を受信ユニット２にて受信し、受信信号は制御部３に有線（図示せず）により伝達され、制御部３からの信号にて送風装置４、加熱装置５を動かす構成とする。受信ユニット２、制御部３、送風装置４、加熱装置５は本体６に内蔵されており、その本体６の下部を覆いかくすようにフロントパネル７を取り付ける構成とする。
【００１８】
赤外線通信とここでは説明したが、電波信号でもよい。
【００１９】
取り付けた場合に、受信ユニット２はフロントパネル７の設けられた穴から視認できる構成である。
【００２０】
受信ユニット２を本体６内に内蔵しているため、フロントパネル７を取り付ける際に有線コネクタの必要もなく、有線コネクタで発生しやすい、接触不良やほこり等の付着による不良リスクが回避できる。
【００２１】
受信ユニット２を下方向から視認した場合に、受信ユニット２には、上部から予約／フィルターチェック用のＬＥＤ８と運転ＬＥＤ９と応急的に暖房運転のみを行いたいときに操作する応急運転ボタン１０と点検時期がきたときだけ、何らかの表示をしらせる点検時期表示用の表示部１１と赤外線信号を受信するための黒色受光フィルタを用いた受信部１２とにより構成する。
【００２２】
点検時期表示用の表示部１１は通常普段は何も表示されていない。
【００２３】
点検時期表示用の表示部１１を応急運転ボタン１０及び運転ＬＥＤ９の近傍に配置することにより、使用者が運転ＬＥＤ９を確認し本体が動いているのかを確認する際に、同時にもし点検時期表示用の表示部１１に何らかの表示があれば、認識しやすくなる。
【００２４】
また、応急運転ボタン１０にて機器を暖房運転させるときにもその近傍に点検時期表示用の表示部１１に何らかの表示があれば、認識しやすくなる。
【００２５】
フロントパネル７に点検時期表示用の表示部１１を設ける場合には視認性や気づきやすくしなければ、天井側にあるため見逃しやすい。しかし、前記のように認識しやすくなるため、点検時期表示用の表示部１１は、大きさを応急運転ボタン１０や黒色受光フィルタを用いた受信部１２と同程度の大きさにするだけでよく、意匠的に大きくしなくてすむので、フロントパネル７の意匠性をよくすることができる。
【００２６】
ワイヤレスリモコン１での操作の場合は本体側には必ず受信ユニット２が必要であり、そこに、点検時期表示用の表示部１１を設けることにより、表示やボタンなどをまとめた構成にすることにより、フロントパネル７の意匠性をさらに向上することができる。
【００２７】
ただし、応急運転ボタン１０や予約／フィルターチェック用ＬＥＤ８、運転ＬＥＤ９は必ずしも受信ユニット２にあるものではなくてもよく、代わりに違うＬＥＤや表示があっても使用者の視線がいきやすい表示であればよい。
【００２８】
（実施の形態２）
図３に示すように、点検時期表示は通常時は何も表示されないため、受信ユニット２にあると、これは何を表示するためのものなのかと思われる可能性もあり、表示していないときは目立たなくし、表示したときのみ目立つようにするために、黒色受光フィルタ内部に設けた点検時期表示用の表示部１３とするとさらに効果的である。
【００２９】
黒色受光フィルタに対して、ＬＥＤなどを用いて表示をおこなう。
【００３０】
点検時期表示用の表示部１１を目立たなくすることにより、さらにフロントパネル７の意匠性は向上する。
【００３１】
黒色受光フィルタ内部に設けた点検時期表示用の表示部１３は位置的には黒色受光フィルタの上部であっても下部であっても、その効果は同じである。
【００３２】
（実施の形態３）
図４に示すように、浴室１４において本体６は浴槽１５の上に設置される。フロントパネル７に対して、点検時期表示用の表示部１１を洗い場１６側の方に設けた構成とする。
【００３３】
このことにより浴槽１５にいても、洗い場１６にいても、点検時期表示用の表示部１１を容易に視認できるようになる。
【産業上の利用可能性】
【００３４】
本発明にかかる浴室空気調和機は、機器の点検時期を容易に視認可能とするものであるので、点検時期を知らさなければならない特定保守製品である浴室空気調和機等として有用である。
【符号の説明】
【００３５】
１    ワイヤレスリモコン
２    受信ユニット
３    制御部
４    送風装置
５    加熱装置
６    本体
７    フロントパネル
８    予約／フィルターチェック用ＬＥＤ
９    運転ＬＥＤ
１０  応急運転ボタン
１１  点検時期表示用の表示部
１２  黒色受光フィルタを用いた受信部
１３  黒色受光フィルタ内部に設けた点検時期表示用の表示部
１４  浴室
１５  浴槽
１６  洗い場
【図１】
2012225600.tif 000003
【図２】
2012225600.tif 000004
【図３】
2012225600.tif 000005
【図４】
2012225600.tif 000006
【図５】
2012225600.tif 000007
【図６】
2012225600.tif 000008